(57)【要約】      （修正有）【課題】駆動装置や駆動伝達機構を備えた複雑な装置を使用することなく、スプリングの引く力を利用して、階段を楽に昇れるように補助する簡単な構造の階段手摺を提供する。【解決手段】階段を昇る人が握る移動可能な握り棒３を備えた階段手摺において、握り棒３が、階段の昇り方向に付勢されている圧縮スプリング６の一端に連結されて階段の昇り方向に付勢されており、握り棒３を引くことにより昇る人に引き上げる力を付与するように階段手摺を構成する。【選択図】図３
0003166070.tif 000002
【実用新案登録請求の範囲】
【請求項１】
階段を昇る人が握る移動可能な握り棒を備えた階段手摺において、
前記握り棒が、階段の昇り方向に付勢されている圧縮スプリングの一端に連結されて階段の昇り方向に付勢されており、握り棒を引くことにより昇る人に引き上げる力を付与することを特徴とする階段手摺。
【請求項２】
前記握り棒に間隔をおいて握りやすい形状をした握り部が間隔をおいて複数配置されていることを特徴とする請求項１記載の階段手摺。
【請求項３】
前記握り棒が間隔をおいて複数配置され、各握り棒がそれぞれ圧縮スプリングの一端に連結されていることを特徴とする請求項１記載の階段手摺。
【考案の詳細な説明】
【技術分野】
【０００１】
本考案は、階段を昇る人に昇る力を作用させて階段の昇りを補助することができる階段手摺に関する。
【背景技術】
【０００２】
高齢者や身体の不自由な人にとって、階段を昇るのはきつくて体力を必要するものである。近年お年寄りが増え若い頃アパートの４階、５階にはエレベーターはなく、後期高齢者となって階段の上り下りまた、山手の方の階段の上り下りに大変な苦労を強いられているばあいが多い。
【０００３】
そこで、階段の昇りを補助して楽に昇れるようにするため、各種の補助装置が提案されている。
【０００４】
例えば、特許文献１には、握力の弱い高齢者や身体障害者であっても、身体のバランスを維持するための保持力を得やすくして、安全に階段の昇降等ができるようにした手摺りの補助保持具が提案されている。この補助保持具は、長尺の棒状部材を主体とする手摺りＨの補助保持具であって、手摺りを構成する棒状部材に、この棒状部材の軸に対して略直角に上方に突出し、直線状の棒状片あるいは先端側を曲げた棒状片の握り部材が取り付けられている。
【０００５】
また、特許文献２には、お年寄りでも他人の手を煩わすことなく、階段を上る際は握りをしっかり握るだけで安心に二階への昇降が可能となる階段昇降補助装置が提案されている。この階段昇降補助装置は、階段の昇降において各階段の上下両端に滑車機能を備え滑車上下間には縦方向の往復索道線を環状に張り、下方部分には昇降を補助する握り部を備え、他方の上部下側端には重量物を装着し、重量物は握り部に連動して降昇し、その重量物の重心力により、利用者は安全且つ少ないエネルギーで階段の昇降を可能とするというものである。
【０００６】
また、特許文献３には、高齢者等が階段を昇降する際に補助するために用いられる、簡易型構造で安価な且つ操作が簡易な階段昇降用補助装置が提案されている。この階段昇降用補助装置を、階段の上階側に設置され昇降時に使用されるワイヤが繰り出し可能に巻回されたワイヤ巻き取り機構とその駆動用の電動モータとを有する装置本体と、装置本体から繰り出されたワイヤの先端部に設けられ利用者が階段昇降時に握る把手部とから構成する。把手部には、ワイヤ巻き取り機構をオン、オフするメインスイッチと、ワイヤ巻き取り機構によるワイヤの巻き取り、繰り出しを切換え制御する階段上昇用、下降用の切り換えスイッチとが設けられている。
【０００７】
また、特許文献４には、構造が簡単で、設備費が嵩まず、安全に昇降できる階段手摺が提供されている。この階段手摺は、手摺本体と、昇降補助具と、駆動ワイヤ−とからなる階段手摺であって、手摺本体は側壁に長手方向に沿ってスリット状の開口部が設けられた筒状体で、昇降補助具は摺動部材とグリップとからなり、摺動部材は手摺本体の筒状体の中に挿入可能、且つ、手摺本体の開口部より大きい塊状体であり、摺動部材が手摺本体の中に摺動可能に挿入され、グリップが手摺本体１の開口部より突出し、駆動ワイヤ−が手摺本体の中を通って摺動部材の上端に、別の駆動ワイヤ−が手摺本体の中を通って下端にそれぞれ繋がれて、昇降補助具が昇降可能になされているものである。
【先行技術文献】
【特許文献】
【０００８】
【特許文献１】特開２０１０−０５３５８１号公報
【特許文献２】特開２００８−２１４０９４号公報
【特許文献３】特開２００５−３３５９４４号公報
【特許文献４】特開平１０−３３８４４２号公報
【考案の概要】
【考案が解決しようとする課題】
【０００９】
前記特許文献１に記載された手摺りの補助保持具は、昇る人が握り部材を握って腕の力が出やすいようにしたものなので、自力のみで昇ることになるので、高齢者や身体の不自由な人にとってはやはり大変である。
【００１０】
前記特許文献２〜４では、動力により昇る人を動力により補助するので、前記特許文献１に比べて楽に階段を上ることができるが、特許文献２の握り部、特許文献３の把手部、特許文献４のグリップを駆動させモータや駆動伝達機構を必要とし、さらに昇る人を強制的に移動させるので安全対策も必要となるため、装置が複雑で大がかりになるため、コストが高くなるという問題がある。
【００１１】
そこで、本考案は、駆動装置や駆動伝達機構を備えた複雑な装置を使用することなく、スプリングの引く力を利用して、階段を楽に昇れるように補助する簡単な構造の階段手摺を提供するものである。
【課題を解決するための手段】
【００１２】
請求項１の考案は、階段を昇る人が握る移動可能な握り棒を備えた階段手摺において、前記握り棒が、階段の昇り方向に付勢されている圧縮スプリングの一端に連結されて階段の昇り方向に付勢されており、握り棒を引くことにより昇る人に引き上げる力を付与することを特徴とする階段手摺である。
【００１３】
請求項２の考案は、前記請求項１の構成において、前記握り棒に間隔をおいて握りやすい形状をした握り部が間隔をおいて複数配置されていることを特徴とする。
【００１４】
請求項２の考案は、前記請求項１の構成において、前記握り棒が間隔をおいて複数配置され、各握り棒がそれぞれ圧縮スプリングの一端に連結されていることを特徴とする。
【考案の効果】
【００１５】
本考案の階段手摺は、階段を昇る人が握り部を握って引くと、握り部に圧縮スプリングにより階段の昇り方向に引っ張られる力が作用して、昇る人を引き上げる力となるので、階段を楽に昇ることが可能となる。
【００１６】
また、本考案の階段手摺は、駆動装置や駆動伝達機構などを使用する必要がないので、構造が簡単な階段手摺が得られる。
【図面の簡単な説明】
【００１７】
【図１】本考案の第１の実施例の平面図である。
【図２】本考案の第１の実施例の側面図である。
【図３】本考案の第１の実施例の圧縮スプリング部分の断面図である。
【図４】本考案の第２の実施例の平面図である。
【図５】本考案の第２の実施例の側面図である。
【図６】本考案の第２の実施例の圧縮スプリング部分の断面図である。
【図７】本考案の第３の実施例の平面図である。
【図８】本考案の第３の実施例の側面図である。
【図９】本考案の第３の実施例の圧縮スプリング部分の拡大図である。
【図１０】本考案の第４の実施例の平面図である。
【図１１】本考案の第４の実施例の側面図である。
【図１２】本考案の第４の実施例の圧縮スプリング部分の拡大図である。
【考案を実施するための形態】
【００１８】
本考案の実施例について図面を参照しながら説明する。
【実施例１】
【００１９】
図１〜図３において、階段１の片側あるいは両側に配置される本実施例の手摺は、階段１の最上段及び最下段に立設した支柱２ａ，２ｂと、この両支柱２ａ，２ｂの間に支持された長尺の握り棒３で構成される。握り棒３の両端はそれぞれの支柱２ａ，２ｂに設けられた支持管４にスライド自在に支持されている。
【００２０】
握り棒３の両端にはそれぞれ、連結ワイヤ５の一端が連結され、連結ワイヤ５の他端は支柱２ａ，２ｂ内の下部に下端が固定されている圧縮スプリング６の上端に連結されている。
【００２１】
圧縮スプリング６の上端に連結された連結ワイヤ５は、支柱２ａ，２ｂ内を垂直方向へ延び、さらに水平ガイドローラ７により水平方向にガイドされ、支持管４内にある握り棒３の端に連結されている。
【００２２】
握り棒３は、両支柱内に配置されているそれぞれの圧縮スプリング６により互いに逆方向に引っ張られた状態に維持されて支柱２ａ，２ｂ間に支持される。
【００２３】
本実施例の手摺の使用方法について説明する。
階段１を昇る人は、握り棒３を握り、一段上のステップに一方の足を載せ、腕を曲げて握り棒３を引きながら身体を上方に移動させて他方の足を１段上あるいは２段のステップに載せて昇る。その際、握り棒３を引くと、圧縮スプリング６により階段１の昇り方向に引っ張る力が作用し、その引っ張る力が昇る人を引き上げる力として付与される。
【００２４】
こうして、ステップを昇るごとに握り棒３を握って引くことにより昇る人を引き上げる力が付与されるので、階段を楽に昇ることが可能となる。
【実施例２】
【００２５】
本実施例は握り棒に握り部を間隔をおいて形成したものである。
図４〜図６において、階段１の最上段及び最下段に立設した支柱２ａ，２ｂと、その間に支持された握り棒３で構成される。握り棒３は、握り易い形状に形成された握り部８が一定の間隔で複数配置されている。
【００２６】
握り棒３の両端にはそれぞれ、連結ワイヤ５の一端が連結され、連結ワイヤ５の他端は支柱２ａ，２ｂ内の下部に下端が固定されている圧縮スプリング６の上端に連結されている。
【００２７】
圧縮スプリング６の上端に連結された連結ワイヤ５は、支柱２ａ，２ｂ内を垂直方向へ延び、さらに水平ガイドローラ７により水平方向にガイドされ、握り棒３の端に連結されている。
【００２８】
握り棒３は、両支柱２ａ，２ｂ内に配置されているそれぞれの圧縮スプリング６に連結されている連結ワイヤ５により互いに逆方向に引っ張りあって緊張状態に維持されて支柱２ａ，２ｂ間に支持される。
【００２９】
本実施例の手摺の使用方法について説明する。
階段１を昇る人は、握り棒３の握り部８を握り、一段上のステップに一方の足を載せ、腕を曲げて握り棒３を引きながら身体を上方に移動させて他方の足を１段上あるいは２段のステップに載せて昇る。握り棒３を引くことにより圧縮スプリング６にて階段１の昇り方向に引っ張る力が作用し、その力が昇る人を引き上げる力として付与される。
【００３０】
こうして、ステップを昇るごとに握り棒３を握り替えて引くことにより昇る人を引き上げる力が付与されるので、階段１を楽に昇ることが可能となる。
【実施例３】
【００３１】
本実施例は握り棒を支柱ではなく壁に取り付けた握り棒支持部材に支持した例である。
【００３２】
図７〜図９において、階段１の片側あるいは両側の壁９に、階段１の最上段及び最下段の手摺高さ位置に、握り棒３の両端をそれぞれ支持する握り棒支持部材１０が取り付けられる。握り棒支持部材１０は握り棒３の端部を支持するとともに、圧縮スプリング６を収納する支持管４を備えている。
【００３３】
支持管４内に下端が固定された圧縮スプリング６の上端と、握り棒３の端部は連結ワイヤ５で連結されている。圧縮スプリング６の上端に連結された連結ワイヤ５は、水平ガイドローラ７により逆方向に方向転換されて握り棒３の端に連結されている。
【００３４】
握り棒３は、支持管４内に配置されているそれぞれの圧縮スプリング６に連結されている連結ワイヤ５により互いに逆方向に引っ張りあって緊張状態に維持されて握り棒支持部材１０間に支持される。
【００３５】
本実施例の手摺の使用方法は、前記実施例１及び２と同じであり、ステップを昇るごとに握り棒３を握り替えて引くことにより昇る人を引き上げる力が付与されるので、階段１を楽に昇ることが可能となる。
【実施例４】
【００３６】
本実施例は複数の握り棒が間隔をおいて配置された例である。
図１０〜１２において、階段１の最上段及び最下段に立設した支柱２ａ，２ｂと、その間に支持された連結棒１１に握り棒３が回動可能に一定の間隔で複数配置されている。それぞれの握り棒３は圧縮スプリング６に連結されて起立した状態に維持されている。
【００３７】
本実施例の手摺の使用方法について説明する。
階段１を昇る人は、握り棒３の握り部８を握り、一段上のステップに一方の足を載せ、腕を曲げて握り棒３を引きながら身体を上方に移動させて他方の足を１段上あるいは２段のステップに載せて昇る。握り棒３を引くことにより圧縮スプリング６にて階段１の昇り方向に引っ張る力が作用し、その力が昇る人を引き上げる力として付与される。
【００３８】
こうして、ステップを昇るごとに握り棒３を握り替えて引くことにより昇る人を引き上げる力が付与されるので、階段１を楽に昇ることが可能となる。
【符号の説明】
【００３９】
１：階段
２ａ，２ｂ：支柱
３：握り棒  
４：支持管
５：連結ワイヤ
６：圧縮スプリング
７：水平ガイドローラ
８：握り部
９：壁
１０：握り棒支持部材
１１：連結棒
【図１】
0003166070.tif 000003
【図２】
0003166070.tif 000004
【図３】
0003166070.tif 000005
【図４】
0003166070.tif 000006
【図５】
0003166070.tif 000007
【図６】
0003166070.tif 000008
【図７】
0003166070.tif 000009
【図８】
0003166070.tif 000010
【図９】
0003166070.tif 000011
【図１０】
0003166070.tif 000012
【図１１】
0003166070.tif 000013
【図１２】
0003166070.tif 000014